(57)【特許請求の範囲】
【請求項１】
コンクリート壁面に着色塗装面とデザインパネルの取付け面が形成されているＬ形擁壁ブロックのデザイン構造であって、
前記デザインパネルの取付け面が無塗装面であることを特徴としたＬ形擁壁ブロックのデザイン構造。
【発明の詳細な説明】
【０００１】
【発明の属する技術分野】
本発明は、Ｌ形擁壁ブロックのコンクリート壁面を対象としたデザイン構造に関する。
【０００２】
【従来の技術】
従来、Ｌ形擁壁ブロックのコンクリート壁面にデザインを施したものとしては、適宜の塗料によってコンクリート壁面に直接に着色塗装を施したものが知られている。
【０００３】
【発明が解決しようとする課題】
しかしながら、Ｌ形擁壁ブロックについては、その裏面が水分を含んだ土に接しているため、その裏面からの呼吸が困難になるばかりか、裏面から水分や湿気がブロックの内部に含浸、浸透してくる。
【０００４】
そして、この水分や湿気は、コンクリート壁面から水蒸気となって外部に排出しようとするが、このとき、コンクリート壁面が着色塗装されていると、その塗膜により遮られて水分や湿気の排出ができなくなる。これでは、コンクリート壁面からの呼吸が阻害されることになるし、水分や湿気によって塗装が裏から押し上げられ、塗装面が浮き上がって塗装の剥がれを引き起こすという問題が生じる。
【０００５】
本発明は、上述のような従来の問題点を解決するためになされたもので、コンクリート壁面にデザイン（絵柄）を施すに当たり、着色塗装面とデザインパネルを組み合わせることに着目し、これによりデザインの審美性を向上させると共に、コンクリートの呼吸を維持することができ、又、水や湿気を原因として生ずる塗装の剥がれを解消することができるようにしたＬ形擁壁ブロックのデザイン構造を提供することを課題としている。
【０００６】
【課題を解決するための手段】
上記の課題を解決するために、本発明のＬ形擁壁ブロックのデザイン構造は、コンクリート壁面に着色塗装面とデザインパネルの取付け面が形成されているＬ形擁壁ブロックのデザイン構造であって、前記デザインパネルの取付け面が無塗装面である。
【０００７】
本発明のデザイン構造は、着色塗装とデザインパネルを組み合わせてコンクリート壁面をデザインするもので、着色塗装の単独でデザインしたものと比べ、デザインパネルを組み合わせる分だけデザインの審美性を向上できる。
【０００８】
そして、デザインパネルの取付け面が無塗装面であるという点に特徴がある。つまり、この取付け面を無塗装面にすることによって、コンクリート壁面の全面が塗膜によって覆われることがなくなり、この取付け面から呼吸を維持することができるし、着色塗装面に水や湿気を原因とした塗装の剥がれが生じるという不具合を防止することができる。即ち、コンクリート内部の水や湿気は、取付け面から排出し、以後は取付け面に向けて徐々に空気や水の通り道ができるため、誘われるよう取付け面に集中していくことになる。このように、無塗装面を通気面として確保しながら、この無塗装面をデザインパネルによって絵柄の面として活用できる。
【０００９】
尚、無塗装面に直接に着色塗装によって絵柄を表現しようとすると、養生の問題、天候や気温等の問題で作業性が悪い。これに対しデザインパネルを用いると、軽量であるため、室内作業で天候や気温等に左右されることがなく、能率良く作業することができる。
【００１０】
【発明の実施の形態】
以下、本発明の実施の形態を図面により詳述する。図１は実施の第１形態であるＬ形擁壁ブロックのデザイン構造を示す分解斜視図である。
【００１１】
このＬ形擁壁用ブロックＡは、底板部１０と立上部１１とでＬ形に形成され、立上部１１の正面がデザインを施すコンクリート壁面１２に形成されている。そして、このコンクリート壁面１２には、着色塗装面１２ａ（図において平行斜線で示す）と２枚のデザインパネル２，２の取付け面１２ｂ，１２ｂが形成されている。尚、コンクリート壁面１２の最下部には、土被り部１２ｃが形成されている。
【００１２】
前記着色塗装面１２ａは、塗料によって着色塗装され、デザイン的には、茶色系のミカゲ石模様に着色されている。尚、この着色塗装は、スプレー装置を用いた吹き付け塗装あるいは刷毛塗り塗装により行われる。この場合の塗料としては、点塗装塗料（ダイスコート、大日精化社製）、透湿性塗料（ローンコート、大日精化社製）、ウレタン系塗料（アクアレタン、関西ペイント社製）、その他、合成樹脂バインダ塗料等を使用できる。特に透湿性塗料は、コンクリート中の水分が外部に抜け出すことができるので、Ｌ形擁壁用ブロックには適している。尚、透湿性塗料を用いた場合の透湿度は、試験方法ＪＩＳ２０２０８による制２５０ｇ〜８００ｇ／１平方メートル／１日が適当である。
【００１３】
前記取付け面１２ｂは、塗料によって着色塗装を施さないコンクリート地肌のままの無塗装面に形成され、この取付け面１２ｂ上にデザインパネル２が取替え可能に取り付けられる。
【００１４】
前記デザインパネル２は、パネル部材として一般にコンパネと称されるベニヤ板（板厚９ｍｍ、１３ｍｍ、１５ｍｍ、１８ｍｍ等）が用いられ、このベニヤ板の表面が着色塗装によってデザイン面２１に形成されている。この場合のデザイン面２１は、表面の全面に下地色が着色塗装され、この下地色の上に花の絵柄が着色塗装されたものとなっている。
【００１５】
尚、このデザインパネル２のコンクリート壁面１２に対する取り付けは、例えば、コンクリート壁面１２にインサートナットを埋設し、このインサートナットにデザインパネル２に形成したボルト穴を通してボルトを締結するなどの取替え可能な構造となっている。
【００１６】
又、前記デザインパネル２は、その表面及び裏面の両面にデザイン面２１，２１を形成してもよい。この場合には、例えば、表面が外面になるようにして取り付けたのち、期間の経過とともにデザインを交換する必要が生じたような場合、そのデザインパネル２を表裏反転して、裏面が外面になるようにして取り付け直せば、１個のデザインパネル２を２度使用できるという利点がある。
【００１７】
又、従って、このＬ形擁壁用ブロックＡでは、着色塗装面１２ａとデザインパネル２を組み合わせてコンクリート壁面１２をデザインするので、着色塗装の単独でデザインしたものと比べ、デザインパネル２を組み合わせる分だけデザインの審美性を向上できる。
【００１８】
又、デザインパネル２の取付け面１２ｂが無塗装面であるので、コンクリート壁面１２の全面が塗膜によって覆われることがない。従って、この取付け面１２ｂから呼吸を維持することができるし、着色塗装面１２ａに水や湿気を原因とした塗装の剥がれが生じるという不具合を防止することができる。即ち、コンクリート内部の水や湿気は、取付け面から排出し、以後は取付け面に向けて徐々に空気や水の通り道ができるため、誘われるよう取付け面に集中し、通気性の維持及び水や湿気の排出を促進していくことになる。
【００１９】
次に、図２は実施の第２形態であるＬ形擁壁ブロックＢのデザイン構造を示す斜視図である。このＬ形擁壁ブロックＢでは、コンクリート壁面１２の上側部分に、着色塗装面１２ａとなる擬石状凹凸面が目地１２ｄによって区画されて形成され、コンクリート壁面１２の下側部分にデザインパネル２の取付け面１２ｂが形成されている。尚、前記目地１２ｄはコンクリート地肌のままの無塗装であり、ここから通気性及び水や湿気の排出が可能である。
【００２０】
そして、このＬ形擁壁ブロックＢは、取付け面１２ｂがコンクリート壁面１２の下側部分に形成されている点に特徴がある。即ち、コンクリート内部の水分は自然に下側に溜っていくため、コンクリート壁面１２の下側部分に無塗装面である取付け面１２ｂを形成すれば、それだけ水分の排出が促進される。
【００２１】
以上、本発明の実施例を図面により説明したが、具体的な構成は実施例に限定されるものではない。例えば、着色塗装面は、ミカゲ石状模様のほか、大理石模様や単なる１色のベタ塗りにしてもよいし、これらの上に文字や絵柄等を表現してもよい。
【００２２】
又、デザインパネルのパネル部材についても、ベニヤ板に限らず、鉄板、プラスチック板、セメント板等を使用できるし、このデザインパネルのデザインは、着色塗装に限らず、デザインをプリント印刷した合成樹脂シートをパネル部材に貼り付けるようにしても構わない。
【００２３】
又、無塗装面からの通気性及び水や湿気の排出を充分に得るためには、この無塗装面をコンクリート壁面の１５％以上の面積で設けるのが好ましい。
【００２４】
【発明の効果】
以上説明してきたように、本発明のデザイン構造にあっては、着色塗装とデザインパネルを組み合わせてコンクリート壁面をデザインするので、着色塗装の単独でデザインしたものと比べ、デザインパネルを組み合わせる分だけデザインの審美性を向上できる。
【００２５】
又、デザインパネルの取付け面が無塗装面であるため、コンクリート壁面の全面が塗膜によって覆われることがなくなり、この取付け面から呼吸を維持することができるし、水や湿気を排出することができる。これにより、着色塗装面に生じる塗装の剥がれという不具合を防止できるという効果が得られる。
【図面の簡単な説明】
【図１】実施の第１形態であるＬ形擁壁ブロックのデザイン構造を示す斜視図である。
【図２】実施の第２形態であるＬ形擁壁ブロックのデザイン構造を示す斜視図である。
【符号の説明】
Ａ  Ｌ形擁壁ブロック
Ｂ  Ｌ形擁壁ブロック
１２  コンクリート壁面
１２ａ  着色塗装面
１２ｂ  取付け面
２  デザインパネル
【図１】
0003623048.tif 000002
【図２】
0003623048.tif 000003